【事件の表示】
　特許第３４０５６７８号「カタログ選択丁合装置」の請求項１ないし３に係る特許に対する特許異議の申立てについて、次のとおり決定する。
【結　論】
　特許第３４０５６７８号の請求項１ないし３に係る特許を維持する。
【理　由】
［１］本件発明
　本件特許第３４０５６７８号（平成１０年５月２９日出願、平成１５年３月７日設定登録）の請求項１ないし３に係る発明は、その特許請求の範囲の請求項１ないし３に記載された事項により特定される次のとおりのものである。
「【請求項１】カタログ通販に使用する多種類のカタログの丁合にあたって、通販葉書によってカタログの種類を変え、通販葉書毎に該当するカタログを選択し、丁合するカタログ選択丁合装置であって、カタログ送りコンベヤに沿って配列され、各種類のカタログが積み重ねられ、ストックされる複数のカタログストック位置と、丁合するカタログの種類を表すバーコードを有する多数の通販葉書が積み重ねられ、ストックされる通販葉書第１ストック位置と、前記カタログストック位置の下流において、前記カタログ送りコンベヤに沿って設けられた通販葉書第２ストック位置と、前記通販葉書第１ストック位置と第２ストック位置間に設けられ、第１ストック位置の通販葉書を順次１枚ずつ取り出し、それを第２ストック位置に送り、積み重ね、ストックする通販葉書送り機構と、前記通販葉書第１ストック位置と第２ストック位置間に配置され、第１ストック位置の通販葉書が順次１枚ずつ取り出され、送られるとき、そのバーコードを読み取るバーコードリーダと、前記カタログストック位置および前記通販葉書第２ストック位置に設けられ、前記カタログストック位置において、前記バーコードリーダの読み取り信号にもとづき、通販葉書毎に該当するカタログを選択し、丁合し、前記カタログ送りコンベヤによってそれを送り、前記通販葉書第２ストック位置において、その通販葉書を順次１枚ずつ取り出し、丁合されたカタログに対応する通販葉書をカタログ上に載せる選択丁合機構とからなるカタログ選択丁合装置。【請求項２】追加バーコードリーダを前記通販葉書第２ストック位置と前記カタログ送りコンベヤ間に配置し、第２ストック位置の通販葉書が順次１枚ずつ取り出され、カタログ上に載せられるとき、前記追加バーコードリーダによってそのバーコードを読み取り、通販葉書とカタログの対応関係を照合するようにしたことを特徴とする請求項１に記載のカタログ選択丁合装置。 【請求項３】前記通販葉書第２ストック位置の下流において、プラスチックフィルム封入機構を前記カタログ送りコンベヤに沿って設け、丁合された通販葉書およびカタログをプラスチックフィルムに封入するようにしたことを特徴とする請求項１に記載のカタログ選択丁合装置。」
　
［２］特許異議申立ての理由の概要
１．特許異議申立人高松由記子は、次の甲第１号証及び周知例として参考資料１ないし５を提出し、本件請求項１ないし３に係る発明は、甲第１号証記載の発明及び周知技術に基づいて当業者が容易に発明をすることができたものであるから、本件請求項１ないし３に係る発明についての特許は、特許法第２９条第２項の規定に違反してされたものであり、取り消されるべきである旨主張する。
　甲第１号証：特開平７−４１２３１号公報
　参考資料１：特開平６−２４６３４号公報
　参考資料２：特開平５−２６２３２５号公報
　参考資料３：特開平１０−９９７８６号公報
　参考資料４：特開平５−１０４８８３号公報
　参考資料５：特開平６−２４６３３号公報
　
２．特許異議申立人村上精一は、次の甲第１号証ないし甲第６号証を提出し、本件請求項１ないし３に係る発明は、甲第１号証ないし甲第６号証記載の発明に基づいて当業者が容易に発明をすることができたものであるから、本件請求項１ないし３に係る発明についての特許は、特許法第２９条第２項の規定に違反してされたものであり、また本願は明細書の記載が明確でなく、本件請求項１ないし３に係る発明についての特許は、特許法第３６条第６項第２号に規定する要件を満たしていない出願に対しされたものであるから、本件請求項１ないし３に係る発明についての特許は取り消されるべきである旨主張する。
　
　甲１号証：特開平５−１０４８８３号公報
　甲２号証：特開平６−２４６３４号公報
　甲３号証：特開平９−３９４３４号公報
　甲４号証：特開平７−４１２３１号公報
　甲５号証：特開平６−２４６３３号公報
　甲６号証：特公平４−４８７１３号公報
　
［３］特許異議の申立てについての判断
(特許法第２９条第２項違反について)
１．甲各号証の記載事項
　特許異議申立人高松由記子が提出した甲第１号証（以下「刊行物１」という。）には、次の事項が記載されている。
　ア．「【産業上の利用分野】本発明は多品種少量生産を行う製本業、ダイレクトメール発送業、書籍発送業での書籍等の被ピッキング物をピッキング作業するランダムピッキング装置に関する。」（段落【０００１】）
　イ．「図６は、ランダムピッキング装置全体のシステム構成例の概略を示すものである。図４に示すように、書籍類３として例えば教材を所定の箇所に搬送する搬送コンベア１０と出荷宛名用紙２１を所定の箇所に搬送する宛名搬送コンベア１１が平行に配設され、搬送コンベア１０の移動方向に沿って各種の教材３をピッキングして搬送コンベア１０に送り出す複数台の丁合機１Ｂが書籍ピッキングステーションに適宜の間隔を存して設置されている。また、宛名搬送コンベア１１の最上流側に対応する位置には、出荷宛名用紙２１をピッキングする丁合機１Ａが宛名用紙用ステーションに設置されている。（段落【０００３】）
　ウ．「上記宛名用紙用ステーションおよび各書籍ピッキングステーションに設置される丁合機１Ａ，１Ｂは、概略図７に示すように構成されている……丁合機１Ａ上部の宛名用紙移載部２に積載された出荷宛名用紙２１をバキューム装置４で作られる減圧エアーをピッキング制御弁５を介してバキュームパット６に伝達することにより、出荷宛名用紙２１を宛名用紙移載部２の下部開口部より吸い出すと共に、……下方に配設されている引抜き受板９に落下させ、この引抜き受板９より一定速度で移動している宛名搬送コンベア１１に供給するための宛名供給機構が設けられている。……各書籍ピッキングステーションの丁合機１Ｂも、図５とほぼ同様である。この場合、宛名用紙移載部２は書籍移載部となり、各ステーションで教材を自動供給、ストレージおよび書籍綴じ部揃え機能を持たせてある。…このような構成のランダムピッキング装置において、宛名用紙用ステーションの丁合機１Ａおよび各書籍ピッキングステーションの丁合機１Ｂのピッキング制御弁５に設定された特定のピッキングパターンに基づいて各ピッキング制御弁５を開閉制御することにより、先ず丁合機１Ａより宛名用紙が搬送コンベア側に設けられた宛名乗移部を介して搬送コンベア１１上に送出され、次いで各書籍用ステーションの丁合機１Ｂにより会員の注文に応じた書籍類３がピッキングされて搬送コンベア１０上に送出され、これらは会員毎に一まとめにされて所定の箇所まで送られると、宛名搬送コンベア１１の最終端部で宛名用紙が宛名移載部を介して書籍類３の上に載せられて配送されるようになっている。」（段落【０００４】ないし【０００７】）
　エ．「…図１は本発明によるランダムピッキング装置全体のシステム構成例を示すもので、……宛名用紙用ステーションの丁合器１Ａに…出荷宛名用紙２１を検出する第１の検出器１４を設け、……出荷宛名用紙２１が宛名搬送コンベア１１に送出される位置に出荷宛名用紙に印字されたバーコードデータを読取るバーコードリーダ１２を設け、……宛名搬送コンベア１１の移動位置を検出する第２の検出器１５を設ける。」（段落【００１５】）
　オ．「この制御用コンピュータ１３は、予め会員番号別に計画していたピッキング順番で作成されるピッキング指示データが会員番号に対応させて記憶部に格納されており、バーコードリーダ１２で読取られた会員番号と記憶部に記憶された会員番号とを比較して一致しているか否かを判別し、……一致していると判別された場合には会員番号に対応するピッキング指示データを該当するステーションのピッキング制御弁５に送出する機能とを有している。」（段落【００１７】）
　カ．「ステップＳ５にてトラッキングテーブルの予定のポジションのデータと会員番号を示す宛名データの両者が一致していると判定された場合には、その会員番号に対応するピッキング指示データを読み出してその会員番号によって定まるピッキング順番のステーション１Ｂに対して該当するピッキング指示データをピッキング制御弁５に伝送する。そして、この宛名用紙が図１の宛名搬送コンベア１１により最終端部の宛名移載部２３に流れてくると、宛名用紙が宛名移載部２３により既ピッキングされた教材の上に載せられ、次工程に送られる。」（段落【００２２】）
　
　上記記載ウによれば、丁合機１Ａは、その宛名用紙移載部２に出荷宛名用紙２１を積載し、丁合機１Ｂも同様に、書籍移載部に書籍を積載している。
　以上の記載及び図１〜６によれば、刊行物１には、次の発明が記載されていると認められる。
「書籍の丁合にあたって、出荷宛名用紙によって書籍の種類を変え、出荷宛名用紙毎に該当する書籍を選択し、丁合するランダムピッキング装置であって、
　搬送コンベア１０に沿って配列され、各種類の書籍が積み重ねられ、ストックされる書籍ピッキングステーションに設置された複数の丁合機１Ｂと、
　会員番号を表すバーコードを有する多数の出荷宛名用紙が積み重ねられ、ストックされる宛名用紙用ステーションの丁合機１Ａと、
　前記書籍ピッキングステーションの丁合機１Ｂの下流において、前記搬送コンベア１０に沿って設けられた宛名移載部２３と、
　宛名用紙用ステーションの丁合機１Ａと宛名移載部２３との間に設けられ、宛名用紙用ステーションの丁合機１Ａから順次１枚ずつ取り出された出荷宛名用紙を宛名移載部２３に送る宛名搬送コンベア１１と、
　前記宛名用紙用ステーションの丁合機１Ａと宛名移載部２３間に配置され、宛名用紙用ステーションの丁合機１Ａの出荷宛名用紙が順次１枚ずつ取り出され、送られるとき、その会員番号を表すバーコードを読み取るバーコードリーダと、
　バーコードリーダで読み取られた会員番号に対応するピッキング支持データを丁合機１Ｂ等に送信する制御用コンピュータ等からなり、
　前記書籍ピッキングステーションの丁合機１Ｂによって、バーコードリーダで読み取られた会員番号に対応するピッキング支持データにもとづき、出荷宛名用紙毎に該当する書籍を選択し、丁合し、搬送コンベア１０によってそれを送り、宛名移載部２３によって、丁合された書籍に対応する出荷宛名用紙を書籍上に載せる、ランダムピッキング装置。」
　
　特許異議申立人村上精一が提出した甲第１号証（以下、「刊行物２」という。）には、ランダムピッキング装置に関して、次の事項が記載されている。
　キ．「……図１に示すように、書籍類３として例えば教材を所定の箇所に搬送する搬送コンベア１０と出荷宛名用紙を所定の箇所に搬送する宛名搬送コンベア１１が平行に配設され、搬送コンベア１０の移動方向に沿って各種の教材３をピッキングして搬送コンベア１０に送出す複数台の丁合機１Ａが書籍ピッキングスタンドとして適宜の間隔を存して設置されている。また、宛名搬送コンベア１１の最上流側に対応する位置には、出荷宛名用紙をピッキングする丁合機１Ｂが宛名用紙用スタンドとして設置されている。」（段落【００１２】）
　ク．「……図１に示す各スタンド１Ａに種類の異なる教材が投入され、また出荷宛名用紙用スタンド１Ｂに会員番号をバーコード印字した出荷宛名用紙２１を作業計画順番に並べて投入されているものとする。……この出荷宛名用紙２１が宛名搬送コンベア１１により移動を開始すると同時に、出荷宛名用紙２１に印字された会員番号を示すバーコードデータが出荷宛名用紙用スタンド１Ｂに取付けられたバーコードリーダ１２により読取られ、制御用コンピュータ１３に取込まれる。……制御用コンピュータ１３でバーコードリーダ１２より取込まれた会員番号と記憶部に記憶されている会員番号とが一致していると判別されると、その会員番号に対応するピッキング指示データを読み出してその会員番号によって定まるピッキング順番のスタンド１Ａに対して該当するピッキング指示データをピッキング制御弁５に伝送する。」（段落【００１６】ないし【００１８】）
　ケ．「…各スタンドでピッキングされた教材は、予め計画された会員番号別に積重ねられて搬送出口に達すると、宛名搬送コンベア１１上の出荷宛名用紙が宛名積載部２３により既にピッキングされた教材の上に載せられ、次工程２４に送られる。」（段落【００２２】）
　
　同特許異議申立人が提出した甲第２号証（以下、「刊行物３」という。）には、丁合物補給装置に関して、次の事項が記載されている。
　コ．「【請求項１】丁合物を積層して収納するとともに最下層の丁合物から排出するホッパに対し、丁合物を補給する丁合物補給装置において、丁合物の束を複数個貯蔵する貯蔵装置と、貯蔵装置から１つの束の丁合物を受け取り、その丁合物の束を上昇又は下降させ、その最上位に位置する丁合物の上面レベルを所定レベルに設定するエレベータと、
　エレベータ上の丁合物を最上位側のものから順次ホッパの側に移送する移送装置と、　ホッパにおける丁合物の収納量を検出する検出装置と、検出装置の検出信号に基づき移送装置の丁合物移送動作を制御する制御装置とを有することを特徴とする丁合物補給装置。」（【特許請求の範囲】）
　サ．「…従来技術では、ロボットが一度に多量の丁合物（例えば１束分の丁合物）をホッパに補給するものであるため、ホッパ内の最下層の丁合物には…丁合物の大重量が作用する。従って、ホッパ内の最下層の丁合物を排出する際に、最下層の丁合物に加えるべき引き出し力が大きくなり、……ホッパからのスムースな丁合物の排出を困難にする。…本発明は、ホッパへの丁合物補給措置において、ホッパに常に一定収納量の丁合物を保持し、ホッパからのスムースな丁合物の排出を確保することを目的とする。」（段落【０００４】、【０００５】）
　シ．「【作用】　貯蔵装置に貯蔵されている丁合物は一束づつエレベータに受け取られ、エレベータ上の最上位に位置する丁合物はその上面レベルを所定レベルに設定される。そして、制御装置は、検出装置が検出したホッパ内における丁合物の収納量に応じて、移送装置を制御し、エレベータ上の丁合物を最上位側のものから順次ホッパまで移送する。これにより、ホッパに常に一定収納量（一定範囲の収納量）の丁合物を保持できることとなる。」（段落【０００７】）
　ス．「（第１実施例）（図１、図２参照）
　物品丁合装置１００は、丁合物搬送コンベヤ１０１の搬送ラインに沿う位置に丁合物供給ホッパ１１を配置し、ホッパ１１内の丁合物１を丁合物取出装置１０２によって取出してコンベヤ１０１の各収納部１０１Ａに供給して丁合するようになっている。ここで、ホッパ１１は丁合物１を積層して収納するとともに、丁合物取出装置１０２のチャック１０２Ａにより最下層の丁合物１から排出されるようになっている。」（段落【０００９】）
　セ．「丁合物位置検出器１５はエレベータ１３の上方に配置され、エレベータ１３の最上位の丁合物１の高さ位置Ｈを検出する。エレベータ１３上の最上位の丁合物１が検出器１５による検出高さ位置Ｈにあるとき、固定ストッパ３２の上端レベルより上方にある一定押出し量（押し出し装置１６が単一ストロークにて押し出す量）の丁合物１が押し出しレベルに設定されたことになる。」（段落【００１６】）
　ソ．「押し出し装置１６はエレベータ１３の側方に配置され、エレベータ１３上の丁合物１を最上位側のものから上述の一定押し出し量ずつ押し出す。……投入コンベヤ１７はエレベータ１３上における丁合物１の押し出しレベルの出側に配設され、モータ３６により連続駆動されて、押し出し装置１６により押し出された丁合物１を丁合物供給ホッパ１１に投入する。」（段落【００１８】、【００１９】）
　
　同特許異議申立人が提出した甲第３号証（以下、「刊行物４」という。）には、カタログ等の冊子に関して、次の事項が記載されている。
　タ．「…申込葉書部１１ｃとなる部分には、受取人の宛名と、管理番号であるバーコード１１ｃ−１が印字される。…帳票の略中央部から折り返され、表紙部１１が形成される。…次に、この表紙部１１と丁合されるカタログ部１２が選定される。ここで、カタログ部１２の種類が１種類のときはカタログ部１２の選定の必要はないが、カタログ部１２が、例えば金額に応じて複数種類設けられているとき、さらに男性用や女性用等の区別があるときは、コンピュータに記憶された顧客情報に応じて適切なカタログ部１２が選定される。そして、図３に示すように、カタログ部１２と表紙部１１とが丁合され、綴じられる。これにより、表紙部１１は、冊子１０の一部の頁として形成される。」（段落【００１３】、【００１４】）
　同特許異議申立人が提出した甲第４号証（上記刊行物１）には、上記刊行物１と同じ事項が記載されている。
　
　同特許異議申立人が提出した甲第５号証（以下、「刊行物５」という。）には、丁合装置に関して、次の事項が記載されている。
　チ．「制御部は、同封物供給ステーションの各ステーションに対応して位置する個別収納部が如何なる個別収納部であるかを認識しながら、当該特定個別収納部に割り当てられた丁合情報に従う物品供給動作を行なう。即ち、各物品とその供給先である個別収納部との対応関係を確認しつつ、丁合作業を行なう。」（段落【００１３】）
　
　同特許異議申立人が提出した甲第６号証（以下、「刊行物６」という。）には、印刷物の丁合包装システムに関して、次の事項が記載されている。
　ツ．「包装ステーション３ｂでは、送られて来た印刷物群６０aを自動的に袋詰めし、包装された印刷物群６０ｃが製品受け３１に投入される」（８欄３１行ないし３３行）
　
２．対比、判断
（１）本件請求項１に係る発明について
　本件請求項１に係る発明と刊行物１記載の発明とを対比する。
　刊行物１記載の発明の「書籍」と本件請求項１に係る発明の「カタログ」は、共に、「被ピッキング物」である点で共通している。
　本件請求項１に係る発明の「通販葉書」は、「カタログ選択丁合装置」における「宛名用紙」ということができる。
　刊行物１記載の発明の「搬送コンベア１０」は本件請求項１に係る発明の「カタログ送りコンベア２」に対応し、同様に、「ランダムピッキング装置」は「カタログ選択丁合装置」に対応する。
　また、刊行物１記載の発明の「書籍ピッキングステーションの複数の丁合機１Ｂ」が存する位置は、各種類の書籍が積み重ねられ、ストックされているので、「書籍ストック位置」ということができ、本件請求項１に係る発明の「複数のカタログストック位置」に対応し、同様に、「宛名用紙用ステーションに設置される丁合機１Ａ」が存する位置は、多数の出荷宛名用紙が積み重ねられ、ストックされているので、「宛名用紙ストック位置」ということができ、本件請求項１に係る発明の「通販葉書第１ストック位置」に対応する。
　刊行物１記載の発明の「宛名移載部２３」と本件請求項１に係る発明の「通販葉書第２ストック位置」とは、共に、「宛名用紙取出位置」である点で共通する。
　刊行物１記載の発明の「宛名用紙用ステーションの丁合機１Ａ」と「宛名搬送コンベア１１」とから構成されるものは、「宛名用紙ストック位置と宛名移載部２３間に設けられ、宛名用紙ストック位置の宛名用紙を順次一枚ずつ取り出し、それを宛名用紙取出位置に送る宛名用紙送り機構」ということができる。
　さらに、刊行物１記載の発明の「書籍ピッキングステーションに設置された複数の丁合機１Ｂ」、「搬送コンベア１０」、「宛名移載部２３」及び「制御用コンピュータ等」から構成されるものは、本件請求項１に係る発明の「前記カタログストック位置および前記通販葉書第２ストック位置に設けられ、前記カタログストック位置において、前記バーコードリーダの読み取り信号にもとづき、通販葉書毎に該当するカタログを選択し、丁合し、前記カタログ送りコンベヤによってそれを送り、前記通販葉書第２ストック位置において、その通販葉書を順次１枚ずつ取り出し、丁合されたカタログに対応する通販葉書をカタログ上に載せる選択丁合機構」に対応する。
　そうすると、両者は、「多種類の被ピッキング物の丁合にあたって、宛名用紙によって被ピッキング物の種類を変え、宛名用紙毎に該当する被ピッキング物を選択し、丁合する被ピッキング物選択丁合装置であって、
被ピッキング物送りコンベヤに沿って配列され、各種類の被ピッキング物が積み重ねられ、ストックされる複数の被ピッキング物ストック位置と、
バーコードを有する多数の宛名用紙が積み重ねられ、ストックされる宛名用紙第１ストック位置と、
前記被ピッキング物ストック位置の下流において、前記被ピッキング物送りコンベヤに沿って設けられた宛名用紙取出位置と、
前記宛名用紙第１ストック位置と宛名用紙取出位置間に設けられ、第１ストック位置の宛名用紙を順次１枚ずつ取り出し、それを宛名用紙取出位置に送る宛名用紙送り機構と、
前記宛名用紙第１ストック位置と通宛名用紙取出位置間に配置され、第１ストック位置の宛名用紙が順次１枚ずつ取り出され、送られるとき、そのバーコードを読み取るバーコードリーダと、
前記被ピッキング物ストック位置および前記宛名用紙取出位置に設けられ、前記被ピッキング物ストック位置において、前記バーコードリーダの読み取り信号にもとづき、宛名用紙毎に該当する被ピッキング物を選択し、丁合し、前記被ピッキング物送りコンベヤによってそれを送り、前記宛名用紙取出位置において、丁合されたカタログに対応する宛名用紙をカタログ上に載せる選択丁合機構とからなる被ピッキング物選択丁合装置。」である点で一致し、以下の点で相違する。
　
　相違点１：本件請求項１に係る発明は、被ピッキング物が「カタログ通販に使用するカタログ」であり、宛名用紙が「通販葉書」である、「カタログ選択丁合装置」であるのに対し、刊行物１記載の発明は、被ピッキング物が書籍である、書籍選択丁合装置である点。
　相違点２：バーコードが、本件請求項１に係る発明では、「丁合するカタログの種類を表すバーコード」であるのに対し、刊行物１記載の発明では、会員番号を表すバーコードである点。
　相違点３：本件請求項１に係る発明では、宛名用紙取出位置が、「通販葉書第２ストック位置」であり、用紙送り機構が、「通販葉書を第２ストック位置に積み重ね、ストック」し、選択丁合機構が、「通販葉書第２ストック位置において、その通販葉書を順次１枚ずつ取り出し、カタログ上に載せる」のに対し、刊行物１記載の発明では、宛名用紙取出位置である宛名移載部２３に送られた宛名用紙を積み重ねてストックせずに、選択丁合機構が、その宛名用紙を、丁合された書籍に載せる点。
　
　そこで、まず、上記相違点３について検討する。
　特許異議申立人村上精一が、本件請求項１に係る発明の「通販葉書を……第２ストック位置に送り、積み重ね、ストックする通販葉書送り機構」に関連して提出した上記刊行物３（甲第２号証）には、丁合物搬送コンベヤ１０１の搬送ラインに沿う位置に配置された丁合物供給ホッパ１１内の丁合物１を、丁合物取出装置１０２によって取出してコンベヤ１０１の各収納部１０１Ａに供給して丁合する物品丁合装置１００に用いられる丁合物補給装置において、ホッパ１１内に丁合物１を積層して収納し、貯蔵装置から一束づつ受け取られたエレベータ１３上の丁合物を、押し出し装置１６により最上位側のものから順次ホッパに送り出すことが記載されている。
　しかし、刊行物３に記載されたものは、丁合物補給装置であり、丁合装置１００のホッパ１１に、一度に大量の丁合物を補給すると、ホッパ１１内の最下層の丁合物に大重量が作用して、最下層の丁合物の排出が困難になるのを防止するために、エレベータ１３上の丁合物を、押し出し装置１６により、最上位側のものから順次ホッパに補給するに止まるものである（上記記載コ、サ参照。）。
　すなわち、刊行物３に記載されたものは、エレベータ１３上の丁合物を、ホッパに送り出してホッパに丁合物を補給するものであって、エレベータ１３上の丁合物を、コンベヤ１０１の各収納部１０１Ａの移送と関連させてホッパに移送し、ストックするというものではないから、当該ホッパは、本件請求項１に係る発明の通販葉書「第２ストック位置」に相当するものではない。
　よって、刊行物３に記載されたものは、本件請求項１に係る発明の特定事項である「通販葉書第２ストック位置」、「通販葉書を第２ストック位置に積み重ね、ストックする通販葉書送り機構」、「通販葉書第２ストック位置において、その通販葉書を順次１枚ずつ取り出し、カタログ上に載せる選択丁合機構」を示唆するものではない。
　したがって、丁合機への出荷宛名用紙や書籍の補給のために、刊行物３記載の丁合物補給装置を、刊行物１記載の丁合機１Ａ、１Ｂに適用することは容易であるとしても、刊行物１記載の丁合機１Ａ、宛名搬送コンベア１１、宛名移載部２３を、これに置き換えることは、そもそも宛名用紙をストックする必要のない宛名移載部２３を丁合物供給ホッパ１１に置き換える動機付けに欠けるとともに、丁合機１Ａをエレベータ１３に置き換える動機付けにも欠けるものであるから、当業者が容易に想到し得たことということはできない。
　また、当該「通販葉書第２ストック位置」、「通販葉書を第２ストック位置に積み重ね、ストックする通販葉書送り機構」、「通販葉書第２ストック位置において、その通販葉書を順次１枚ずつ取り出し、カタログ上に載せる選択丁合機構」という特定事項については、刊行物２、４ないし６にも記載されておらず、丁合装置の技術分野において周知技術ともいえないので、相違点３の本件請求項１に係る発明の特定事項は、当業者が容易に想到し得たものということはできない。
　　
　したがって、他の相違点について検討するまでもなく、本件請求項１に係る発明は、刊行物１〜６記載の発明に基いて当業者が容易に発明をすることができたものとすることはできない。
　
（２）本件請求項２及び３に係る発明について
　本件請求項２及び３に係る発明は、本件請求項１に係る発明を引用して、それぞれ更に特定事項を付加するものであるから、上記「（１）本件請求項１に係る発明について」で示したのと同様の理由により、刊行物１〜６記載の発明に基いて当業者が容易に発明をすることができたものとすることはできない。
　
（特許法第３６条第６項第２号に規定する要件を満たしているか否かについて）
　特許異議申立人村上精一は、本件明細書の特許請求の範囲の請求項１の「前記カタログストック位置の下流において、前記カタログ送りコンベアに沿って設けられた通販葉書第２ストック位置と、」における「沿って」との表現について、「沿って」は、「線条的なもの、または線条的に移動するものに、近い距離を保って離れずにいる意。…　長く連なるものから離れずに進んだり続いたりする場合に「沿う」を使う。（広辞苑第５版）」であるから、本件発明の実施例にも通販葉書第２ストック位置が一つしか示されず、複数設けられるとの記載がない本件発明において、「沿う」の表現は明確でない旨主張している。
　しかし、特許異議申立人が上述しているように、「沿う」とは「線条的に移動するものに、近い距離を保って離れずにいる意。」であり、そばに位置することを意味しており、一つのものが線条的なものに近い場所に位置することを表すものである。
　そうすると、本件明細書特許請求の範囲の請求項１の「前記カタログストック位置の下流において、前記カタログ送りコンベヤに沿って設けられた通販葉書第２ストック位置と、」は、通販葉書第２ストック位置がカタログ送りコンベヤのそばに位置していることを意味していると解することができ、第２ストック位置が複数なければならないものではない。
　したがって、「沿って」の意味は明確であり、特許法第３６条第６項第２号に規定する要件を満たしていないとすることはできない。
　
［４］むすび
　以上のとおりであるから、異議申立人高松由記子、同村上精一の主張する理由及び提出した証拠方法によっては、本件請求項１ないし３に係る発明についての特許を取り消すことはできない。
　また、他に本件請求項１ないし３に係る発明についての特許を取り消すべき理由を発見しない。
　よって、結論のとおり決定する。
【異議決定日】
平成１６年９月３０日（２００４．９．３０）